(57)【要約】  所定の情報を所定数のオーディオフレームに分割して送信するとき、受信側において当該所定の情報の取得処理を容易かつ適切に行い得るようにする。  オーディオ圧縮データストリームに所定の情報を挿入する。所定の情報が挿入されたオーディオ圧縮データストリームを送信する。オーディオ圧縮データストリームの所定数のオーディオフレームに上記所定の情報が分割されて得られた各分割情報のそれぞれを挿入することが可能とされる。最初の分割情報に所定の情報の全体サイズを示す情報を付加する。最初の分割情報が取得される時点で当該所定の情報の全体サイズを示す情報に基づいて記憶媒体に当該所定の情報を蓄積できるだけのスペースを確保できる。
2016190091.tif 000002
【特許請求の範囲】
【請求項１】
オーディオ圧縮データストリームに所定の情報を挿入する情報挿入部と、
上記所定の情報が挿入されたオーディオ圧縮データストリームを送信するストリーム送信部を備え、
上記情報挿入部は、
上記オーディオ圧縮データストリームの所定数のオーディオフレームに上記所定の情報が分割されて得られた各分割情報のそれぞれを挿入することが可能とされ、
最初の分割情報に上記所定の情報の全体サイズを示す情報を付加する
送信装置。
【請求項２】
上記情報挿入部は、
上記オーディオフレームのユーザデータ領域に上記分割情報を挿入する
請求項１に記載の送信装置。
【請求項３】
上記情報挿入部は、
各分割情報に、最初の分割情報であるか否かを示す情報および分割位置を示す情報をさらに付加する
請求項１に記載の送信装置。
【請求項４】
上記所定の情報は、ネットワークアクセス情報、コマンド情報またはメディアファイルである
請求項１に記載の送信装置。
【請求項５】
上記ストリーム送信部は、
上記所定の情報が挿入されたオーディオ圧縮データストリームを含む所定フォーマットのコンテナを送信する
請求項１に記載の送信装置。
【請求項６】
上記ストリーム送信部は、
上記所定の情報が挿入されたオーディオ圧縮データストリームを、デジタルインタフェースを介して外部機器に送信する
請求項１に記載の送信装置。
【請求項７】
オーディオ圧縮データストリーム含む所定フォーマットのコンテナを受信する受信部をさらに備え、
上記コンテナのレイヤに所定の情報が挿入されており、
上記情報挿入部は、
上記コンテナに含まれているオーディオ圧縮データストリームに上記コンテナのレイヤに挿入されている所定の情報を挿入する
請求項６に記載の送信装置。
【請求項８】
オーディオ圧縮データストリームに所定の情報を挿入する情報挿入ステップと、
ストリーム送信部により、上記所定の情報が挿入されたオーディオ圧縮データストリームを送信するストリーム送信ステップを備え、
上記情報挿入ステップでは、
上記オーディオ圧縮データストリームの所定数のオーディオフレームに上記所定の情報が分割されて得られた各分割情報のそれぞれを挿入することが可能とされ、
最初の分割情報に上記所定の情報の全体サイズを示す情報を付加する
送信方法。
【請求項９】
所定の情報が挿入されたオーディオ圧縮データストリームを外部機器からデジタルインタフェースを介して受信するストリーム受信部を備え、
上記オーディオ圧縮データストリームの所定数のオーディオフレームに、上記所定の情報が分割されて得られた分割情報のそれぞれが挿入されており、
最初の分割情報に上記所定の情報の全体サイズを示す情報が付加されており、
上記オーディオ圧縮データストリームをデコードしてオーディオデータを得ると共に、上記所定の情報の全体サイズを示す情報に基づいて上記所定数のオーディオフレームから上記所定の情報を構成する各分割情報を得るデコード処理と、該デコード処理で得られた上記所定の情報を利用した情報処理を制御する制御部をさらに備える
受信装置。
【請求項１０】
上記所定の情報は、ネットワークアクセス情報、コマンド情報またはメディアファイルである
請求項９に記載の受信装置。
【請求項１１】
ストリーム受信部により、所定の情報が挿入されたオーディオ圧縮データストリームを外部機器からデジタルインタフェースを介して受信するストリーム受信ステップを有し、
上記オーディオ圧縮データストリームの所定数のオーディオフレームに、上記所定の情報が分割されて得られた分割情報のそれぞれが挿入されており、
最初の分割情報に上記所定の情報の全体サイズを示す情報が付加されており、
上記オーディオ圧縮データストリームにデコード処理を施してオーディオデータを得ると共に、上記所定の情報の全体サイズを示す情報に基づいて上記所定数のオーディオフレームから上記所定の情報を構成する各分割情報を得るデコード処理ステップと、
上記デコード処理ステップで得られた上記所定の情報を利用した情報処理を行う情報処理ステップをさらに有する
受信方法。
【請求項１２】
オーディオ圧縮データストリームを含む所定フォーマットのコンテナを受信する受信部と、
上記オーディオ圧縮データストリームに所定の情報を挿入する情報挿入処理と、上記所定の情報が挿入されたオーディオ圧縮データストリームを、デジタルインタフェースを介して外部機器に送信するストリーム送信処理を制御する制御部を備える
受信装置。
【請求項１３】
上記情報挿入処理では、
上記オーディオ圧縮データストリームの所定数のオーディオフレームに上記所定の情報が分割されて得られた各分割情報のそれぞれを挿入することが可能とされる
請求項１２に記載の受信装置。
【請求項１４】
上記情報挿入処理では、
上記オーディオフレームのユーザデータ領域に上記分割情報を挿入する
請求項１３に記載の受信装置。
【請求項１５】
上記情報挿入処理では、
最初の分割情報に上記所定の情報の全体サイズを示す情報を付加する
請求項１３に記載の受信装置。
【請求項１６】
上記情報挿入処理では、
各分割情報に、最初の分割情報であるか否かを示す情報および分割位置を示す情報をさらに付加する
請求項１５に記載の受信装置。
【請求項１７】
上記所定の情報は、ネットワークアクセス情報、コマンド情報またはメディアファイルである
請求項１２に記載の受信装置。
【請求項１８】
上記受信されたコンテナのレイヤに上記所定の情報が挿入されており、
上記情報挿入処理では、
上記コンテナのレイヤに挿入されている上記所定の情報を抽出して上記オーディオ圧縮データストリームに挿入する
請求項１２に記載の受信装置。
【請求項１９】
受信部により、オーディオ圧縮データストリームを含む所定フォーマットのコンテナを受信する受信ステップと、
上記オーディオ圧縮データストリームに所定の情報を挿入する情報挿入ステップと、
上記所定の情報が挿入されたオーディオ圧縮データストリームを、デジタルインタフェースを介して外部機器に送信するストリーム送信ステップを有する
受信方法。
【発明の詳細な説明】
【技術分野】
【０００１】
本技術は、送信装置、送信方法、受信装置および受信方法に関し、特に、オーディオ圧縮データストリームに所定の情報を挿入して送信する送信装置等に関する。
【背景技術】
【０００２】
例えば、特許文献１には、放送局、配信サーバ等から所定の情報をオーディオ圧縮データストリームに挿入して送信し、受信側のセットトップボックスがこのオーディオ圧縮データストリームをそのままＨＤＭＩのデジタルインタフェースを介してテレビ受信機に送信し、テレビ受信機が当該所定の情報を利用した情報処理を行うことが提案されている。
【先行技術文献】
【特許文献】
【０００３】
【特許文献１】特開２０１２−０１０３１１号公報
【発明の概要】
【発明が解決しようとする課題】
【０００４】
本技術の目的は、所定の情報を所定数のオーディオフレームに分割して送信するとき、受信側において当該所定の情報の取得処理を容易かつ適切に行い得るようにすることにある。
【課題を解決するための手段】
【０００５】
本技術の概念は、
オーディオ圧縮データストリームに所定の情報を挿入する情報挿入部と、
上記所定の情報が挿入されたオーディオ圧縮データストリームを送信するストリーム送信部を備え、
上記情報挿入部は、
上記オーディオ圧縮データストリームの所定数のオーディオフレームに上記所定の情報が分割されて得られた各分割情報のそれぞれを挿入することが可能とされ、
最初の分割情報に上記所定の情報の全体サイズを示す情報を付加する
送信装置にある。【０００６】
本技術において、情報挿入部により、オーディオ圧縮データストリームに所定の情報が挿入される。例えば、所定の情報は、ネットワークアクセス情報、コマンド情報またはメディアファイルである、ようにされてもよい。【０００７】
ストリーム送信部により、所定の情報が挿入されたオーディオ圧縮データストリームが送信される。例えば、ストリーム送信部は、所定の情報が挿入されたオーディオ圧縮データストリームを含む所定フォーマットのコンテナを送信する、ようにされてもよい。【０００８】
また、例えば、ストリーム送信部は、所定の情報が挿入されたオーディオ圧縮データストリームを、デジタルインタフェースを介して外部機器に送信する、ようにされてもよい。この場合、例えば、オーディオ圧縮データストリーム含む所定フォーマットのコンテナを受信する受信部をさらに備え、コンテナのレイヤに所定の情報が挿入されており、情報挿入部は、コンテナに含まれているオーディオ圧縮データストリームに、コンテナのレイヤに挿入されている所定の情報を挿入する、ようにされてもよい。【０００９】
情報挿入部は、オーディオ圧縮データストリームの所定数のオーディオフレームに所定の情報が分割されて得られた各分割情報のそれぞれを挿入することが可能とされ、最初の分割情報に所定の情報の全体サイズを示す情報が付加される。例えば、情報挿入部は、オーディオフレームのユーザデータ領域に分割情報を挿入する、ようにされてもよい。また、例えば、情報挿入部は、各分割情報に、最初の分割情報であるか否かを示す情報および分割位置を示す情報をさらに付加する、ようにされてもよい。【００１０】
このように本技術においては、オーディオ圧縮データストリームの所定数のオーディオフレームに所定の情報が分割されて得られた各分割情報のそれぞれを挿入することが可能とされる。そのため、所定の情報の全体サイズが大きくても個々のオーディオフレームに挿入される情報サイズを抑えることができ、オーディオ圧縮データの送信に影響を与えることなく所定の情報の送信を良好に行うことが可能となる。【００１１】
また、本技術においては、オーディオ圧縮データストリームの所定数のオーディオフレームに所定の情報が分割されて得られた各分割情報のそれぞれが挿入されるとき、最初の分割情報に所定の情報の全体サイズを示す情報が付加される。そのため、受信側においては、所定数のオーディオフレームから所定の情報を構成する各分割情報を取得する際に、最初の分割情報が取得される時点で当該所定の情報の全体サイズを示す情報に基づいて記憶媒体に当該所定の情報を蓄積できるだけのスペースを確保でき、所定の情報の取得処理を容易かつ適切に行うことが可能となる。【００１２】
また、本技術の他の概念は、
所定の情報が挿入されたオーディオ圧縮データストリームを外部機器からデジタルインタフェースを介して受信するストリーム受信部を備え、
上記オーディオ圧縮データストリームの所定数のオーディオフレームに、上記所定の情報が分割されて得られた分割情報のそれぞれが挿入されており、
最初の分割情報に上記所定の情報の全体サイズを示す情報が付加されており、
上記オーディオ圧縮データストリームをデコードしてオーディオデータを得ると共に、上記所定の情報の全体サイズを示す情報に基づいて上記所定数のオーディオフレームから上記所定の情報を構成する各分割情報を得るデコード処理と、該デコード処理で得られた上記所定の情報を利用した情報処理を制御する制御部をさらに備える
受信装置にある。【００１３】
本技術において、受信部により、所定の情報が挿入されたオーディオ圧縮データストリームが外部機器からデジタルインタフェースを介して受信される。例えば、所定の情報は、ネットワークアクセス情報、コマンド情報またはメディアファイルである、ようにされてもよい。【００１４】
オーディオ圧縮データストリームの所定数のオーディオフレームに、所定の情報が分割されて得られた分割情報のそれぞれが挿入されており、最初の分割情報に所定の情報の全体サイズを示す情報が付加されている。【００１５】
制御部により、デコード処理および情報処理が制御される。デコード処理では、オーディオ圧縮データストリームがデコードされてオーディオデータが得られると共に、所定の情報の全体サイズを示す情報に基づいて所定数のオーディオフレームから所定の情報を構成する各分割情報が取得される。この場合、最初の分割情報が取得される時点で当該所定の情報の全体サイズを示す情報に基づいて記憶媒体に所定の情報のためのスペースが確保される。そして、情報処理では、デコード処理で得られた所定の情報を利用した処理が行われる。【００１６】
このように本技術においては、最初の分割情報に付加されている所定の情報の全体サイズを示す情報に基づいて所定数のオーディオフレームから所定の情報を構成する各分割情報が取得される。この場合、所定数のオーディオフレームから所定の情報を構成する各分割情報を取得する際に、最初の分割情報が取得される時点で当該所定の情報の全体サイズを示す情報に基づいて記憶媒体に当該所定の情報を蓄積できるだけのスペースを確保でき、所定の情報の取得処理を容易かつ適切に行うことが可能となる。【００１７】
また、本技術の他の概念は、
オーディオ圧縮データストリームを含む所定フォーマットのコンテナを受信する受信部と、
上記オーディオ圧縮データストリームに所定の情報を挿入する情報挿入処理と、上記所定の情報が挿入されたオーディオ圧縮データストリームを、デジタルインタフェースを介して外部機器に送信するストリーム送信処理を制御する制御部を備える
受信装置にある。【００１８】
本技術において、受信部により、オーディオ圧縮データストリームを含む所定フォーマットのコンテナが受信される。制御部により、情報挿入処理およびストリーム送信処理が制御される。情報挿入処理では、オーディオ圧縮データストリームに所定の情報が挿入される。ストリーム送信処理では、所定の情報が挿入されたオーディオ圧縮データストリームが、デジタルインタフェースを介して外部機器に送信される。【００１９】
例えば、所定の情報は、ネットワークアクセス情報、コマンド情報またはメディアファイルである、ようにされてもよい。また、例えば、受信されたコンテナのレイヤに所定の情報が挿入されており、情報挿入処理では、コンテナのレイヤに挿入されている所定の情報を抽出してオーディオ圧縮データストリームに挿入する、ようにされてもよい。【００２０】
このように本技術においては、所定の情報が挿入されたオーディオ圧縮データストリームが、デジタルインタフェースを介して外部機器に送信される。そのため、外部機器に、オーディオ圧縮データストリームと共に、所定の情報を良好に送信できる。【００２１】
なお、本技術において、例えば、情報挿入処理では、オーディオ圧縮データストリームの所定数のオーディオフレームに所定の情報が分割されて得られた各分割情報のそれぞれを挿入することが可能とされる、ようにされてもよい。この場合、例えば、情報挿入処理では、オーディオフレームのユーザデータ領域に分割情報を挿入する、ようにされてもよい。この場合、所定の情報の全体サイズが大きくても個々のオーディオフレームに挿入される情報サイズを抑えることができ、オーディオ圧縮データの送信に影響を与えることなく所定の情報の送信を良好に行うことが可能となる。【００２２】
また、この場合、例えば、情報挿入処理では、最初の分割情報に上記所定の情報の全体サイズを示す情報を付加し、また、各分割情報に、最初の分割情報であるか否かを示す情報および分割位置を示す情報をさらに付加する、ようにされてもよい。このように各分割情報に情報が付加されることで、所定の情報の取得処理を容易かつ適切に行うことが可能となる。
【発明の効果】
【００２３】
本技術によれば、所定の情報を所定数のオーディオフレームに分割して送信するとき、受信側において当該所定の情報の取得処理を容易かつ適切に行い得る。なお、本明細書に記載された効果はあくまで例示であって限定されるものではなく、また付加的な効果があってもよい。
【図面の簡単な説明】
【００２４】
【図１】実施の形態としての送受信システムの構成例を示すブロック図である。
【図２】所定の情報を分割して送信することによる効果を説明するための図である。
【図３】放送送出装置が備えるストリーム生成部の構成例を示すブロック図である。
【図４】ＭＰＥＧ−Ｈ  ３Ｄ  Ａｕｄｉｏの伝送データにおけるオーディオフレームの構造例を示す図である。
【図５】エクステンションエレメントのタイプとその値の対応関係を示す図である。
【図６】ユニバーサル・メタデータをエクステンションエレメントとして含むユニバーサル・メタデータ・フレームの構成例を示す図である。
【図７】所定の情報を持つアクセス・インフォメーションの構成例を示す図である。
【図８】ユニバーサル・メタデータ・フレームおよびアクセス・インフォメーションにおける主要な情報の内容を示す図である。
【図９】コンテナ対象データが複数のユニバーサル・メタデータ・フレームで伝送される場合の例を示す図である。
【図１０】コンテナ対象データが１つのユニバーサル・メタデータ・フレームで伝送される場合の例を示す図である。
【図１１】複数のコンテナ対象データが複数のユニバーサル・メタデータ・フレームで伝送される場合の例を示す図である。
【図１２】所定の情報（コンテナ対象データ）をオーディオストリームに挿入して送る場合におけるトランスポートストリームＴＳの構造例を示す図である。
【図１３】セットトップボックスの構成例を示すブロック図である。
【図１４】オーディオアンプの構成例を示すブロック図である。
【図１５】テレビ受信機の構成例を示すブロック図である。
【図１６】ＨＤＭＩ送信部とＨＤＭＩ受信部の構成例を示すブロック図である。
【図１７】ＴＭＤＳチャネルで画像データが伝送される場合の各種の伝送データの区間を示す図である。
【図１８】放送送出装置が備えるストリーム生成部の他の構成例を示すブロック図である。
【図１９】アプリケーション・デスクリプタの構造例を示す図である。
【図２０】所定の情報（コンテナ対象データ）をコンテナに挿入して送る場合におけるトランスポートストリームＴＳの構造例を示す図である。
【図２１】セットトップボックスの他の構成例を示すブロック図である。
【図２２】所定の情報（コンテナ対象データ）をオーディオストリームに挿入して送る場合におけるＭＭＴストリームの構造例を示す図である。
【図２３】所定の情報（コンテナ対象データ）をコンテナに挿入して送る場合におけるＭＭＴストリームの構造例を示す図である。
【図２４】送受信システムの他の構成例を示すブロック図である。
【発明を実施するための形態】
【００２５】
以下、発明を実施するための形態（以下、「実施の形態」とする）について説明する。なお、説明を以下の順序で行う。
１．実施の形態
２．変形例
【００２６】
＜１．実施の形態＞
［送受信システムの構成例］
図１は、実施の形態としての送受信システム１０の構成例を示している。この送受信システム１０は、放送送出装置１００と、セットトップボックス（ＳＴＢ）２００と、オーディオアンプ（ＡＭＰ）３００と、テレビ受信機（ＴＶ）５００を有している。オーディオアンプ３００には、マルチチャネル用のスピーカシステム４００が接続されている。
【００２７】
セットトップボックス２００とオーディオアンプ３００は、ＨＤＭＩケーブル６１０を介して接続されている。この場合、セットトップボックス２００がソースで、オーディオアンプ３００はディスティネーションである。また、オーディオアンプ３００とテレビ受信機５００は、ＨＤＭＩケーブル６２０を介して接続されている。この場合、オーディオアンプ３００がソースで、テレビ受信機５００はディスティネーションである。なお、「ＨＤＭＩ」は登録商標である。
【００２８】
放送送出装置１００は、トランスポートストリームＴＳを、放送波に載せて送信する。このトランスポートストリームＴＳには、ビデオストリームおよびオーディオストリーム（オーディオ圧縮データストリーム）が含まれる。放送送出装置１００は、オーディオストリームに、ネットワークアクセス情報、コマンド情報、メディアファイルなどの所定の情報をコンテナ対象データとして挿入する。
【００２９】
例えば、ネットワークアクセス情報には、リンクサーバに接続するためのＵＲＬ情報が含まれる。また、例えば、コマンド情報には、“start”、“pause”などのコマンド群が含まれる。また、例えば、メディアファイルには、キャラクタデータなどの一般のデータファイル、オーディオデータファイル、オーディオ・ビジュアルデータファイルなどが含まれる。
【００３０】
放送送出装置１００は、オーディオストリームの所定数のオーディオフレームに所定の情報を分割して挿入する。このように分割することで、所定の情報の全体サイズが大きくても個々のオーディオフレームに挿入される情報サイズを抑えることができ、オーディオ圧縮データの送信に影響を与えることなく所定の情報の送信が可能となる。
【００３１】
このとき、放送送出装置１００は、最初の分割情報に所定の情報の全体サイズを示す情報を付加し、各分割情報に最初の分割情報であるか否かを示す情報および分割位置を示す情報を付加する。なお、所定数は１を含むものとする。所定数が１であるとき、所定の情報は、実際には分割されず、その全体が１つのオーディオフレームに挿入される。
【００３２】
図２の実線ａは、全体サイズが大きな所定の情報を１つのオーディオフレームで送信する場合のビットレートの変化を概略的に示しているが、所定の情報が挿入されるオーディオフレームで急激に増加する。この場合には、例えばオーディオ圧縮データのビットレートが１９２ｋｂｐｓであって所定の情報が４０バイトであるとき、ビットレートが１５ｋｂｐｓだけ増加して２０７ｋｂｐｓとなる。このようにビットレートがスパイク状に急激に増加する場合には、オーディオ圧縮データの送信に影響を与える。
【００３３】
一方、図２の破線ｂは、全体サイズが大きな所定の情報を複数のオーディオフレームで分割して送信する場合のビットレートの変化を概略的に示している。この場合には、ビットレートが急激に増加するということがない。そのため、オーディオ圧縮データの送信に影響を与えることなく、全体サイズが大きな所定の情報を良好に送信できるようになる。
【００３４】
セットトップボックス２００は、放送送出装置１００から放送波に載せて送信されてくるトランスポートストリームＴＳを受信する。このトランスポートストリームＴＳには、上述したように、ビデオストリームおよびオーディオストリームが含まれており、オーディオストリームには所定の情報が挿入されている。
【００３５】
セットトップボックス２００は、ビデオストリームにデコード処理を施して得られた非圧縮のビデオデータと共に、受信されたオーディオストリームそのものを、ＨＤＭＩケーブル６１０を介して、オーディオアンプ３００に送信する。これにより、オーディオストリームに挿入されている所定の情報もオーディオアンプ３００に送られることとなる。
【００３６】
オーディオアンプ３００は、セットトップボックス２００から、ＨＤＭＩケーブル６１０を介して、非圧縮のビデオデータと共に、所定の情報が挿入されているオーディオストリームを受信する。オーディオアンプ３００は、オーディオストリームにデコード処理を施してマルチチャネル用のオーディオデータを得、このオーディオデータをスピーカシステム４００に供給する。
【００３７】
また、オーディオアンプ３００は、受信された非圧縮のビデオデータとオーディオストリームを、ＨＤＭＩケーブル６２０を介して、テレビ受信機５００に送信する。これにより、オーディオストリームに挿入されている所定の情報もテレビ受信機５００に送られることとなる。
【００３８】
テレビ受信機５００は、オーディオアンプ３００から、ＨＤＭＩケーブル６２０を介して、非圧縮のビデオデータと共に、所定の情報が挿入されているオーディオストリームを受信する。テレビ受信機５００は、非圧縮のビデオデータによる画像を表示する。また、テレビ受信機５００は、オーディオストリームにデコード処理を施し、所定の情報を取得する。
【００３９】
所定の情報はオーディオストリームの所定数のオーディオフレームに分割されて挿入されている。最初の分割情報に、所定の情報の全体サイズを示す情報が付加され、各分割情報に最初の分割情報であるか否かを示す情報および分割位置を示す情報が付加されている。テレビ受信機５００は、これらの情報に基づいて、所定数のオーディオフレームから、所定の情報を構成する各分割情報を取得する。
【００４０】
この場合、テレビ受信機５００は、最初の分割情報が取得される時点で、所定の情報の全体サイズを示す情報を認識する。そして、テレビ受信機５００は、記憶媒体に所定の情報を蓄積するためのスペースを確保でき、所定の情報の取得処理を容易かつ適切に行うことが可能となる。
【００４１】
テレビ受信機５００は、所定の情報を利用した情報処理を行う。例えば、所定の情報がネットワークアクセス情報であるとき、テレビ受信機５００は、ネットワーク上の所定のサーバにアクセスする。また、例えば、所定の情報がコマンド群であるとき、テレビ受信機５００は、アクセスした所定のサーバの動作を制御し、あるいはメディアファイルの再生などの制御を行う。
【００４２】
［放送送出装置のストリーム生成部］
図３は、放送送出装置１００が備えるストリーム生成部１１０の構成例を示している。このストリーム生成部１１０は、制御部１１１と、ビデオエンコーダ１１２と、オーディオエンコーダ１１３と、マルチプレクサ１１４を有している。
【００４３】
制御部１１１は、ＣＰＵ１１１ａを備えており、ストリーム生成部１１０の各部を制御する。ビデオエンコーダ１１２は、ビデオデータ（画像データ）ＳＶに対して、ＭＰＥＧ２、Ｈ．２６４／ＡＶＣ、Ｈ．２６５/ＨＥＶＣなどの符号化を施し、ビデオストリーム（ビデオエレメンタリストリーム）を生成する。ビデオデータＳＶは、例えば、ＨＤＤ（hard disk drive）などの記録媒体から再生されたビデオデータ、あるいはビデオカメラで得られたライブビデオデータなどである。
【００４４】
オーディオエンコーダ１１３は、オーディオデータ（音声データ）ＳＡに対して、ＭＰＥＧ−Ｈ  ３Ｄ  Ａｕｄｉｏの圧縮フォーマットによる符号化を施し、オーディオストリーム（オーディオエレメンタリストリーム）を生成する。オーディオデータＳＡは、上述のビデオデータＳＶに対応しており、ＨＤＤなどの記録媒体から再生されたオーディオデータ、あるいはマイクロホンで得られたライブオーディオデータなどである。
【００４５】
オーディオエンコーダ１１３は、オーディオ符号化ブロック部１１３ａおよびオーディオフレーミング部１１３ｂを有している。オーディオ符号化ブロック部１１３ａで符号化ブロックが生成され、オーディオフレーミング部１１３ｂでフレーミングが行われる。
【００４６】
オーディオエンコーダ１１３は、制御部１１１による制御のもと、オーディオストリームに、所定の情報を挿入する。この実施の形態において、所定の情報は、例えば、ネットワークアクセス情報、コマンド情報、メディアファイルなどである。
【００４７】
オーディオエンコーダ１１３は、オーディオストリームの所定数（１を含む）のオーディオフレームに所定の情報を分割して挿入する。このとき、オーディオエンコーダ１１３は、最初の分割情報に、所定の情報の全体サイズを示す情報を付加する。また、オーディオエンコーダ１１３は、各分割情報に、最初の分割情報であるか否かを示す情報および分割位置を示す情報としての降順のカウント数を付加する。
【００４８】
図４は、ＭＰＥＧ−Ｈ  ３Ｄ  Ａｕｄｉｏの伝送データにおけるオーディオフレームの構造例を示している。このオーディオフレームは、複数のＭＰＥＧオーディオストリームパケット（mpeg Audio Stream Packet）からなっている。各ＭＰＥＧオーディオストリームパケットは、ヘッダ（Header）とペイロード（Payload）により構成されている。
【００４９】
ヘッダは、パケットタイプ（Packet Type）、パケットラベル（Packet Label）、パケットレングス（Packet Length）などの情報を持つ。ペイロードには、ヘッダのパケットタイプで定義された情報が配置される。このペイロード情報には、同期スタートコードに相当する“ＳＹＮＣ”と、３Ｄオーディオの伝送データの実際のデータである“Ｆｒａｍｅ”と、この“Ｆｒａｍｅ”の構成を示す“Ｃｏｎｆｉｇ”が存在する。
【００５０】
“Ｆｒａｍｅ”には、３Ｄオーディオの伝送データを構成するチャネル符号化データとオブジェクト符号化データが含まれる。ここで、チャネル符号化データは、ＳＣＥ（Single Channel Element）、ＣＰＥ（Channel Pair Element）、ＬＦＥ（Low Frequency Element）などの符号化サンプルデータで構成される。また、オブジェクト符号化データは、ＳＣＥ（Single Channel Element）の符号化サンプルデータと、それを任意の位置に存在するスピーカにマッピングさせてレンダリングするためのメタデータにより構成される。このメタデータは、エクステンションエレメント（Ext_element）として含まれる。
【００５１】
この実施の形態では、エクステンションエレメント（Ext_element）として、ネットワークアクセス情報、コマンド情報、メディアファイルなどの所定の情報をユニバーサル・メタデータ（universal_metadata）として持つエレメント（Ext_universal_metadata）を新たに定義する。これに伴って、“Ｃｏｎｆｉｇ”に、そのエレメントの構成情報（universal_metadataConfig）を新たに定義する。
【００５２】
図５は、エクステンションエレメント（Ext_element）のタイプ（ExElementType）と、その値（Value）との対応関係を示している。現状は、０〜７が決められている。１２８以降はＭＰＥＧ以外まで拡張可能なので、例えば、１２８を、新たに、“ID_EXT_ELE_universal_metadata”のタイプの値として定義する。なお、ＭＰＥＧなどの規格の場合は、８〜１２７で定義することも可能である。
【００５３】
図６は、ユニバーサル・メタデータをエクステンションエレメントとして含むユニバーサル・メタデータ・フレーム（universal_metadata_frame()）の構成例（syntax）を示している。図７は、所定数（１を含む）のユニバーサル・メタデータ・フレームの「bytes_to_carry_access_information」に挿入されるアクセス・インフォメーション（Access_information()）の構成例（syntax）を示している。図８は、各構成例における主要な情報の内容（semantics）を示している。
【００５４】
「organization_id」の３２ビットフィールドは、応用する規格の対象を示す。「metadata_type」の８ビットフィールドは、メタデータの種類を示す。例えば、“０ｘ１０”は、ＭＰＥＧ−Ｈ方式のユニバーサル・メタデータを示す。「data_id」の８ビットフィールドは、コンテナ対象データの識別子を示す。同一のコンテナ対象データが分割されて得られた各分割情報には同一の識別子が付与される。
【００５５】
「start_flag」の１ビットフィールドは、コンテナ対象データの開始か否かを示す。“１”は開始を示し、“０”は開始でないことを示す。「fcounter」の７ビットフィールドは、分割されたコンテナ対象データの分割位置を降順のカウント数で示す。“０”が最後の分割部分を示すものである。「start_flag」が“1” かつ、「fcounter」が“０”の場合、分割されてない対象データであることを示す。
【００５６】
「start_flag」が“１”であるとき、「total_data_size」の１６ビットフィールドが存在する。このフィールドは、コンテナ対象データのサイズを示す。「bytes_to_carry_access_information」のフィールドに、アクセス・インフォメーション（Access_information()）の全体、あるいはその一部（分割情報）が挿入される。
【００５７】
「information_type」の８ビットフィールドは、コンテナ対象データの種別を示す。例えば、“０ｘ０１”はＵＲＬ情報を示し、“０ｘ０２”はコマンド群を示し、“０ｘ０３”はメディアファイルを示す。「information_length」の１６ビットフィールドは、次の要素から始まるコンテナ対象データのサイズを示し、上述の「total_data_size」の１６ビットフィールドと同じ値となる。
【００５８】
図３に戻って、マルチプレクサ１１４は、ビデオエンコーダ１１２から出力されるビデオストリームおよびオーディオエンコーダ１１３から出力されるオーディオストリームを、ＰＥＳパケット化し、さらにトランスポートパケット化して多重し、多重化ストリームとしてのトランスポートストリームＴＳを得る。
【００５９】
図３に示すストリーム生成部１１０の動作を簡単に説明する。ビデオデータＳＶはビデオエンコーダ１１２に供給される。このビデオエンコーダ１１２では、ビデオデータＳＶに対してＨ．２６４／ＡＶＣ、Ｈ．２６５/ＨＥＶＣなどの符号化が施され、符号化ビデオデータを含むビデオストリームが生成される。
【００６０】
また、オーディオデータＳＡは、オーディオエンコーダ１１３に供給される。このオーディオエンコーダ１１３では、そのオーディオデータＳＡに対して、ＭＰＥＧ−Ｈ  ３Ｄ  Ａｕｄｉｏの圧縮フォーマットによる符号化が施され、オーディオストリーム（オーディオ圧縮データストリーム）が生成される。
【００６１】
この際、制御部１１１からオーディオエンコーダ１１３に、オーディオストリームに挿入すべき所定の情報（ネットワークアクセス情報、コマンド情報、メディアファイルなど）、すなわちコンテナ対象データが供給される。オーディオエンコーダ１１３では、オーディオストリームの所定数（１を含む）のオーディオフレームにコンテナ対象データ（所定の情報）が分割されて挿入される。
【００６２】
このとき、オーディオエンコーダ１１３では、最初の分割情報に、所定の情報（コンテナ対象データ）の全体サイズを示す情報が付加される。また、オーディオエンコーダ１１３では、各分割情報に、最初の分割情報であるか否かを示す情報および分割位置を示す情報としての降順のカウント数が付加される。
【００６３】
ビデオエンコーダ１１２で生成されたビデオストリームは、マルチプレクサ１１４に供給される。また、オーディオエンコーダ１１３で生成されたオーディオストリームは、マルチプレクサ１１４に供給される。そして、このマルチプレクサ１１４では、各エンコーダから供給されるストリームがパケット化されて多重され、伝送データとしてトランスポートストリームＴＳが得られる。
【００６４】
［コンテナ対象データ（所定の情報）の挿入］
オーディオストリームへのコンテナ対象データの挿入についてさらに説明する。図９は、コンテナ対象データ（所定の情報）が、複数のユニバーサル・メタデータ・フレームで伝送される場合の例を示している。
【００６５】
この場合、コンテナ対象データは複数に分割され、複数の分割情報のそれぞれが複数のユニバーサル・メタデータ・フレームに振り分けられ、「bytes_to_carry_access_information」のフィールドに挿入される（図６参照）。ここで、最初の分割情報に対応した「start_flag」は“１”とされ、最初の分割情報であることが示される。また、最初の分割情報に対応した「fcounter」は“ｎ−１” とされ、その値に１を加算することで分割数“ｎ”が示される。また、この最初の分割情報に対応して、「total_data_size」のフィールドが存在し、コンテナ対象データ（所定の情報）の全体サイズが示される。
【００６６】
２番目以降の分割情報に対応した「start_flag」は“０”とされ、最初の分割情報でないことが示される。また、２番目以降の分割情報に対応した「fcounter」は“ｎ−１”から順次デクリメントされたカウント数とされ、分割位置が示されると共に、残りの分割情報の数が示される。また、最後の分割情報に対応した「fcounter」は“０”とされ、最後の分割情報であることが示される。
【００６７】
なお、最初の分割情報に対応した「fcounter」を“ｎ” とし、２番目以降の分割情報に対応した「fcounter」を“ｎ”から順次デクリメントされたカウント数とし、最後の分割情報に対応した「fcounter」を“１”とすることも考えられる。最初の分割情報に対応した「fcounter」の“ｎ”は分割数を示し、「fcounter」が“１”であることは、最後の分割情報であることを示すものとなる。
【００６８】
図１０は、コンテナ対象データ（所定の情報）が、１つのユニバーサル・メタデータ・フレームで伝送される場合の例を示している。この場合、コンテナ対象データは分割されずに、１つのユニバーサル・メタデータ・フレームの「bytes_to_carry_access_information」のフィールドに挿入される（図６参照）。ここで、「start_flag」は“１”とされ、最初の分割情報であることが示される。また、「fcounter」は“０” とされ、最後の分割情報であることが示される。従って、これらの情報から、分割されていないことが示される。また、この最初の分割情報に対応して、「total_data_size」のフィールドが存在し、コンテナ対象データ（所定の情報）の全体サイズが示される。
【００６９】
図１１は、複数のコンテナ対象データ（所定の情報）が、複数のユニバーサル・メタデータ・フレームで伝送される場合の例を示している。図示の例は、「data_id」が“０”で示されるコンテナ対象データＡと、「data_id」が“１”であるコンテナ対象データＢの２つのコンテナ対象データが伝送される場合の例である。
【００７０】
この場合、コンテナ対象データＡは３分割され、３つの分割情報のそれぞれが３つのユニバーサル・メタデータ・フレームに振り分けられ、「bytes_to_carry_access_information」のフィールドに挿入される（図６参照）。ここで、最初の分割情報に対応した「start_flag」は“１”とされ、最初の分割情報であることが示される。また、最初の分割情報に対応した「fcounter」は“２” とされ、その値に１を加算することで分割数“３”が示される。また、この最初の分割情報に対応して、「total_data_size」のフィールドが存在し、コンテナ対象データ（所定の情報）の全体サイズが示される。
【００７１】
２番目の分割情報に対応した「start_flag」は“０”とされ、最初の分割情報でないことが示される。また、２番目の分割情報に対応した「fcounter」は“１”とされ、分割位置が示されると共に、残りの分割情報の数が”１“であることが示される。また、最後の分割情報に対応した「start_flag」は“０”とされ、最後の分割情報でないことが示される。そして、最後の分割情報に対応した「fcounter」は“０”とされ、最後の分割情報であることが示される。
【００７２】
また、コンテナ対象データＢは分割されずに、１つのユニバーサル・メタデータ・フレームの「bytes_to_carry_access_information」のフィールドに挿入される（図６参照）。ここで、「start_flag」は“１”とされ、最初の分割情報であることが示される。また、「fcounter」は“０” とされ、最後の分割情報であることが示される。従って、これらの情報から、分割されていないことが示される。また、この最初の分割情報に対応して、「total_data_size」のフィールドが存在し、コンテナ対象データ（所定の情報）の全体サイズが示される。
【００７３】
[トランスポートストリームＴＳの構造例]
図１２は、トランスポートストリームＴＳの構造例を示している。この構造例では、ＰＩＤ１で識別されるビデオストリームのＰＥＳパケット「video PES」が存在すると共に、ＰＩＤ２で識別されるオーディオストリームのＰＥＳパケット「audio PES」が存在する。ＰＥＳパケットは、ＰＥＳヘッダ（PES_header）とＰＥＳペイロード（PES_payload）からなっている。ＰＥＳヘッダには、ＤＴＳ，ＰＴＳのタイムスタンプが挿入されている。
【００７４】
オーディオストリームのＰＥＳパケットのＰＥＳペイロードにはオーディオストリーム（Audio coded stream）が挿入される。このオーディオストリームの所定数（１を含む）のオーディオフレーム内のユニバーサル・メタデータ・フレーム（universal_metadata_frame()）に、所定の情報（コンテナ対象データ）を含むアクセス・インフォメーション（Access_information()）が挿入される。
【００７５】
また、トランスポートストリームＴＳには、ＰＳＩ（Program Specific Information）として、ＰＭＴ（Program Map Table）が含まれている。ＰＳＩは、トランスポートストリームに含まれる各エレメンタリストリームがどのプログラムに属しているかを記した情報である。ＰＭＴには、プログラム全体に関連する情報を記述するプログラム・ループ（Program loop）が存在する。
【００７６】
また、ＰＭＴには、各エレメンタリストリームに関連した情報を持つエレメンタリストリーム・ループが存在する。この構成例では、ビデオストリームに対応したビデオエレメンタリストリーム・ループ（video ES loop）が存在すると共に、オーディオストリームに対応したオーディオエレメンタリストリーム・ループ（audio ES loop）が存在する
【００７７】
ビデオエレメンタリストリーム・ループ（video ES loop）には、ビデオストリームに対応して、ストリームタイプ、ＰＩＤ（パケット識別子）等の情報が配置されると共に、そのビデオストリームに関連する情報を記述するデスクリプタも配置される。このビデオストリームの「Stream_type」の値は「０ｘ２４」に設定され、ＰＩＤ情報は、上述したようにビデオストリームのＰＥＳパケット「video PES」に付与されるＰＩＤ１を示すものとされる。デスクリプタの一つして、ＨＥＶＣ デスクリプタが配置される。
【００７８】
また、オーディオエレメンタリストリーム・ループ（audio ES loop）には、オーディオストリームに対応して、ストリームタイプ、ＰＩＤ（パケット識別子）等の情報が配置されると共に、そのオーディオストリームに関連する情報を記述するデスクリプタも配置される。このオーディオストリームの「Stream_type」の値は「０ｘ２Ｃ」に設定され、ＰＩＤ情報は、上述したようにオーディオストリームのＰＥＳパケット「audio PES」に付与されるＰＩＤ２を示すものとされる。
【００７９】
［セットトップボックスの構成例］
図１３は、セットトップボックス２００の構成例を示している。このセットトップボックス２００は、ＣＰＵ２０１と、フラッシュＲＯＭ２０２と、ＤＲＡＭ２０３と、内部バス２０４と、リモコン受信部２０５と、リモコン送信機２０６を有している。また、セットトップボックス２００は、アンテナ端子２１１と、デジタルチューナ２１２と、デマルチプレクサ２１３と、ビデオデコーダ２１４と、オーディオフレーミング部２１５と、ＨＤＭＩ送信部２１６と、ＨＤＭＩ端子２１７を有している。
【００８０】
ＣＰＵ２０１は、セットトップボックス２００の各部の動作を制御する。フラッシュＲＯＭ２０２は、制御ソフトウェアの格納およびデータの保管を行う。ＤＲＡＭ２０３は、ＣＰＵ２０１のワークエリアを構成する。ＣＰＵ２０１は、フラッシュＲＯＭ２０２から読み出したソフトウェアやデータをＤＲＡＭ２０３上に展開してソフトウェアを起動させ、セットトップボックス２００の各部を制御する。
【００８１】
リモコン受信部２０５は、リモコン送信機２０６から送信されたリモーコントロール信号（リモコンコード）を受信し、ＣＰＵ２０１に供給する。ＣＰＵ２０１は、このリモコンコードに基づいて、セットトップボックス２００の各部を制御する。ＣＰＵ２０１、フラッシュＲＯＭ２０２およびＤＲＡＭ２０３は、内部バス２０４に接続されている。
【００８２】
アンテナ端子２１１は、受信アンテナ（図示せず）で受信されたテレビ放送信号を入力する端子である。デジタルチューナ２１２は、アンテナ端子２１１に入力されたテレビ放送信号を処理して、ユーザの選択チャネルに対応したトランスポートストリームＴＳを出力する。
【００８３】
デマルチプレクサ２１３は、トランスポートストリームＴＳからビデオストリームのパケットを抽出し、ビデオデコーダ２１４に送る。ビデオデコーダ２１４は、デマルチプレクサ２１３で抽出されたビデオのパケットからビデオストリームを再構成し、デコード処理を行って非圧縮のビデオデータ（画像データ）を得る。
【００８４】
また、デマルチプレクサ２１３は、トランスポートストリームＴＳからオーディオストリームのパケットを抽出し、オーディオストリームを再構成する。オーディオフレーミング部２１５は、このように再構成されたオーディオストリームに対してフレーミングを行う。このオーディオストリームには、上述のストリーム生成部１１０（図３参照）で説明したように、ネットワークアクセス情報、コマンド情報、メディアファイルなどの所定の情報（コンテナ対象データ）が挿入されている。
【００８５】
ＨＤＭＩ送信部２１６は、ＨＤＭＩに準拠した通信により、ビデオデコーダ２１４で得られた非圧縮のビデオデータと、オーディオフレーミング部２１５でフレーミングされた後のオーディオストリームを、ＨＤＭＩ端子２１７から送出する。ＨＤＭＩ送信部２１６は、ＨＤＭＩのＴＭＤＳチャネルで送信するため、ビデオデータおよびオーディオストリームをパッキングして、ＨＤＭＩ端子２１７に出力する。このＨＤＭＩ送信部２１６の詳細は後述する。
【００８６】
セットトップボックス２００の動作を簡単に説明する。アンテナ端子２１１に入力されたテレビ放送信号はデジタルチューナ２１２に供給される。このデジタルチューナ２１２では、テレビ放送信号が処理されて、ユーザの選択チャネルに対応したトランスポートストリームＴＳが出力される。
【００８７】
デジタルチューナ２１２から出力されるトランスポートストリームＴＳは、デマルチプレクサ２１３に供給される。このデマルチプレクサ２１３では、トランスポートストリームＴＳからビデオのエレメンタリストリームのパケットが抽出され、ビデオデコーダ２１４に送られる。
【００８８】
ビデオデコーダ２１４では、デマルチプレクサ２１３で抽出されたビデオのパケットからビデオストリームが再構成された後、そのビデオストリームに対してデコード処理が行われて、非圧縮のビデオデータが得られる。この非圧縮のビデオデータは、ＨＤＭＩ送信部２１６に供給される。
【００８９】
また、デマルチプレクサ２１３では、トランスポートストリームＴＳからオーディオストリームのパケットが抽出され、ネットワークアクセス情報、コマンド情報、メディアファイルなどの所定の情報（コンテナ対象データ）が挿入されているオーディオストリームが再構成される。このオーディオストリームはオーディオフレーミング部２１５でフレーミングされた後に、ＨＤＭＩ送信部２１６に供給される。そして、ＨＤＭＩ送信部２１６では、非圧縮のビデオデータおよびオーディオストリームがパッキングされ、ＨＤＭＩ端子２１７からＨＤＭＩケーブル６１０を介してオーディオアンプ３００に送信される。
【００９０】
［オーディオアンプの構成例］
図１４は、オーディオアンプ３００の構成例を示している。オーディオアンプ３００は、ＣＰＵ３０１と、フラッシュＲＯＭ３０２と、ＤＲＡＭ３０３と、内部バス３０４と、リモコン受信部３０５と、リモコン送信機３０６を有している。また、オーディオアンプ３００は、ＨＤＭＩ端子３１１と、ＨＤＭＩ受信部３１２と、オーディオデコーダ３１３と、音声処理回路３１４と、音声増幅回路３１５と、音声出力端子３１６と、ＨＤＭＩ送信部３１７と、ＨＤＭＩ端子３１８を有している。
【００９１】
ＣＰＵ３０１は、オーディオアンプ３００の各部の動作を制御する。フラッシュＲＯＭ３０２は、制御ソフトウェアの格納およびデータの保管を行う。ＤＲＡＭ３０３は、ＣＰＵ３０１のワークエリアを構成する。ＣＰＵ３０１は、フラッシュＲＯＭ３０２から読み出したソフトウェアやデータをＤＲＡＭ３０３上に展開してソフトウェアを起動させ、オーディオアンプ３００の各部を制御する。
【００９２】
リモコン受信部３０５は、リモコン送信機３０６から送信されたリモーコントロール信号（リモコンコード）を受信し、ＣＰＵ３０１に供給する。ＣＰＵ３０１は、このリモコンコードに基づいて、オーディオアンプ３００の各部を制御する。ＣＰＵ３０１、フラッシュＲＯＭ３０２およびＤＲＡＭ３０３は、内部バス３０４に接続されている。
【００９３】
ＨＤＭＩ受信部３１２は、ＨＤＭＩに準拠した通信により、ＨＤＭＩケーブル６１０を介してＨＤＭＩ端子３１１に供給される非圧縮のビデオデータとオーディオストリームを受信する。オーディオストリームには、上述のセットトップボックス２００（図１３参照）で説明したように、ネットワークアクセス情報、コマンド情報、メディアファイルなどの所定の情報（コンテナ対象データ）が挿入されている。このＨＤＭＩ受信部３１２の詳細は後述する。
【００９４】
オーディオデコーダ３１３は、ＨＤＭＩ受信部２１２で受信されたオーディオストリームに対してデコード処理を施し、所定チャネル数の非圧縮のオーディオデータ（音声データ）を得る。音声処理回路３１４は、所定チャネル数の非圧縮のオーディオデータに、スピーカシステム４００（図１参照）の構成に応じて必要なアップ/ダウンミックス処理を施して、必要なチャネル数のオーディオデータを得ると共に、Ｄ／Ａ変換等の必要な処理を施す。
【００９５】
音声増幅回路３１５は、音声処理回路３１４で得られた各チャネルのオーディオ信号を増幅して音声出力端子３１６に出力する。なお、音声出力端子３１６には、スピーカシステム４００が接続される。
【００９６】
ＨＤＭＩ送信部３１７は、ＨＤＭＩに準拠した通信により、ＨＤＭＩ受信部２１２で受信された非圧縮のビデオデータとオーディオストリームを、ＨＤＭＩ端子３１８から送出する。ＨＤＭＩ送信部３１７は、ＨＤＭＩのＴＭＤＳチャネルで送信するため、非圧縮のビデオデータおよびオーディオストリームをパッキングして、ＨＤＭＩ端子３１８に出力する。このＨＤＭＩ送信部３１７の詳細は後述する。
【００９７】
図１４に示すオーディオアンプ３００の動作を簡単に説明する。ＨＤＭＩ受信部３１２では、セットトップボックス２００からＨＤＭＩケーブル６１０を介してＨＤＭＩ端子３１１に送信されてくる、非圧縮のビデオデータとオーディオストリームが受信される。
【００９８】
ＨＤＭＩ受信部３１２で受信されたオーディオストリームは、オーディオデコーダ３１３に供給される。オーディオデコーダ３１３では、オーディオストリームに対してデコード処理が施されて、所定チャネル数の非圧縮のオーディオデータが得られる。このオーディオデータは、音声処理回路３１４に供給される。
【００９９】
音声処理回路３１４では、所定チャネル数の非圧縮のオーディオデータに、スピーカシステム４００（図１参照）の構成に応じて必要なアップ/ダウンミックス処理が施されて、必要なチャネル数のオーディオデータが得られると共に、Ｄ／Ａ変換等の必要な処理が施される。音声処理回路３１４から出力される各チャネルのオーディオデータは音声増幅回路３１５で増幅されて音声出力端子３１６に出力される。そのため、音声出力端子３１６に接続されたスピーカシステム４００から所定チャネル数の音声出力が得られる。
【０１００】
また、ＨＤＭＩ受信部３１２で受信された非圧縮のビデオデータとオーディオストリームは、ＨＤＭＩ送信部３１７に供給される。なお、ＨＤＭＩ受信部３１２で受信された非圧縮のビデオデータそのものではなく、この非圧縮のビデオデータにグラフィックスデータの重畳等の処理が施された後のビデオデータがＨＤＭＩ送信部３１７に供給されてもよい。ＨＤＭＩ送信部３１７では、これらの非圧縮のビデオデータおよびオーディオストリームがパッキングされ、ＨＤＭＩ端子３１８からＨＤＭＩケーブル６２０を介してテレビ受信機５００に送信される。
【０１０１】
［テレビ受信機の構成例］
図１５は、テレビ受信機５００の構成例を示している。このテレビ受信機４００は、ＣＰＵ５０１と、フラッシュＲＯＭ５０２と、ＤＲＡＭ５０３と、内部バス５０４と、リモコン受信部５０５と、リモコン送信器５０６と、通信インタフェース５０７を有している。
【０１０２】
また、テレビ受信機５００は、アンテナ端子５１１と、デジタルチューナ５１２と、デマルチプレクサ５１３と、ビデオデコーダ５１４と、ＨＤＭＩ端子５１５と、ＨＤＭＩ受信部５１６を有している。また、テレビ受信機５００は、映像処理回路５１７と、パネル駆動回路５１８と、表示パネル５１９と、オーディオデコーダ５２０と、音声処理回路５２１と、音声増幅回路５２２と、スピーカ５２３を有している。
【０１０３】
ＣＰＵ５０１は、テレビ受信機５００の各部の動作を制御する。フラッシュＲＯＭ５０２は、制御ソフトウェアの格納およびデータの保管を行う。ＤＲＡＭ５０３は、ＣＰＵ５０１のワークエリアを構成する。ＣＰＵ５０１は、フラッシュＲＯＭ５０２から読み出したソフトウェアやデータをＤＲＡＭ５０３上に展開してソフトウェアを起動させ、テレビ受信機５００の各部を制御する。
【０１０４】
リモコン受信部５０５は、リモコン送信機５０６から送信されたリモートコントロール信号（リモコンコード）を受信し、ＣＰＵ５０１に供給する。ＣＰＵ５０１は、このリモコンコードに基づいて、テレビ受信機５００の各部を制御する。ＣＰＵ５０１、フラッシュＲＯＭ５０２およびＤＲＡＭ５０３は、内部バス５０４に接続されている。
【０１０５】
通信インタフェース５０７は、ＣＰＵ５０１の制御のもと、インターネット等のネットワーク上に存在するサーバとの間で通信を行う。この通信インタフェース５０７は、内部バス５０４に接続されている。
【０１０６】
アンテナ端子５１１は、受信アンテナ（図示せず）で受信されたテレビ放送信号を入力する端子である。デジタルチューナ５１２は、アンテナ端子５１１に入力されたテレビ放送信号を処理して、ユーザの選択チャネルに対応したトランスポートストリームＴＳを出力する。
【０１０７】
デマルチプレクサ５１３は、トランスポートストリームＴＳからビデオストリームのパケットを抽出し、ビデオデコーダ５１４に送る。ビデオデコーダ５１４は、デマルチプレクサ５１３で抽出されたビデオのパケットからビデオストリームを再構成し、デコード処理を行って非圧縮のビデオデータ（画像データ）を得る。
【０１０８】
また、デマルチプレクサ５１３は、トランスポートストリームＴＳからオーディオストリームのパケットを抽出し、オーディオストリームを再構成する。このオーディオストリームには、上述のストリーム生成部１１０（図３参照）で説明したように、ネットワークアクセス情報、コマンド情報、メディアファイルなどの所定の情報（コンテナ対象データ）が挿入されている。
【０１０９】
ＨＤＭＩ受信部５１６は、ＨＤＭＩに準拠した通信により、ＨＤＭＩケーブル６２０を介してＨＤＭＩ端子５１５に供給される非圧縮のビデオデータとオーディオストリームを受信する。オーディオストリームには、上述のオーディオアンプ３００（図１４参照）で説明したように、ネットワークアクセス情報、コマンド情報、メディアファイルなどの所定の情報（コンテナ対象データ）が挿入されている。このＨＤＭＩ受信部５１６の詳細は後述する。
【０１１０】
映像処理回路５１７は、ビデオデコーダ５１４で得られた、あるいはＨＤＭＩ受信部５１６で得られたビデオデータ、さらには、通信インタフェース５０７でネット上のサーバから受信されたビデオデータなどに対してスケーリング処理、合成処理などを行って、表示用のビデオデータを得る。
【０１１１】
パネル駆動回路５１８は、映像処理回路５１７で得られる表示用の画像データに基づいて、表示パネル５１９を駆動する。表示パネル５１９は、例えば、ＬＣＤ(Liquid Crystal Display)、有機ＥＬディスプレイ（organic electroluminescence display）などで構成されている。
【０１１２】
オーディオデコーダ５２０は、デマルチプレクサ５１３で得られた、あるいはＨＤＭＩ受信部５１６で得られたオーディオストリームに対してデコード処理を施して非圧縮のオーディオデータ（音声データ）を得る。また、オーディオデコーダ５２０は、オーディオストリームに挿入されている、ネットワークアクセス情報、コマンド情報、メディアファイルなどの所定の情報（コンテナ対象データ）を抽出し、ＣＰＵ５０１に送信する。ＣＰＵ５０１は、適宜、テレビ受信機５００の各部に、この所定の情報を利用した情報処理を行わせる。
【０１１３】
ここで、所定の情報は、オーディオストリームの所定数（１を含む）のオーディオフレームに分割されて挿入され、最初の分割情報に所定の情報の全体サイズを示す情報が付加され、各分割情報に最初の分割情報であるか否かを示す情報および分割位置を示す情報としての降順のカウント数が付加されている。オーディオデコーダ５２０は、これらの情報に基づいて、所定数のオーディオフレームから、所定の情報を構成する各分割情報を取得する。
【０１１４】
この場合、オーディオデコーダ５２０は、最初の分割情報であるか否かを示す情報から最初の分割情報を認識でき、また、この最初の分割情報に対応した降順のカウント数から分割数を認識でき、さらに、降順のカウント数から残りの分割情報の数を認識できる。そのため、オーディオデコーダ５２０は、所定数のオーディオフレームから、所定の情報を構成する各分割情報を、容易かつ適切に、取得できる。
【０１１５】
また、降順のカウント数によって、（１）途中の伝送パケットがエラーになった場合に、それを受信側で検出することが可能であり、（２）また、分割された最終パケットが到達するおよその時間を受信側で前もって知ることができる。
【０１１６】
また、最初の分割情報に所定の情報の全体サイズを示す情報が付加されているので、最初の分割情報が取得される時点で所定の情報の全体サイズを示す情報に基づいてメモリ（記憶媒体）に当該所定の情報を蓄積できるだけのスペースを確保でき、所定の情報の取得処理を容易かつ適切に行うことが可能となる。
【０１１７】
ＣＰＵ５０１は、適宜、テレビ受信機５００の各部にこの所定の情報を用いた情報処理を行わせる。例えば、所定の情報がネットワークアクセス情報であるとき、テレビ受信機５００は、ネットワーク上の所定のサーバにアクセスして所定のメディア情報を取得する処理をする。また、例えば、所定の情報がメディアファイルであるとき、テレビ受信機５００は、そのメディアファイルの再生処理をする。
【０１１８】
音声処理回路５２１は、オーディオデコーダ５２０で得られたオーディオデータに対してＤ／Ａ変換等の必要な処理を行う。音声増幅回路５２２は、音声処理回路５２１から出力される音声信号を増幅してスピーカ５２３に供給する。
【０１１９】
図１５に示すテレビ受信機５００の動作を簡単に説明する。アンテナ端子５１１に入力されたテレビ放送信号はデジタルチューナ５１２に供給される。このデジタルチューナ５１２では、テレビ放送信号が処理されて、ユーザの選択チャネルに対応したトランスポートストリームＴＳが得られる。
【０１２０】
デジタルチューナ５１２で得られるトランスポートストリームＴＳは、デマルチプレクサ５１３に供給される。デマルチプレクサ５１３は、トランスポートストリームＴＳからビデオストリームのパケットが抽出され、ビデオデコーダ５１４に供給される。ビデオデコーダ５１４では、デマルチプレクサ５１３で抽出されたビデオのパケットからビデオストリームが再構成され、デコード処理が施されて、非圧縮のビデオデータが得られる。この非圧縮のビデオデータは、映像処理回路５１７に供給される。
【０１２１】
また、デマルチプレクサ５１３では、トランスポートストリームＴＳからオーディオストリームのパケットが抽出され、オーディオストリームが再構成される。このオーディオストリームは、オーディオデコーダ５２０に供給される。
【０１２２】
ＨＤＭＩ受信部５１６では、ＨＤＭＩに準拠した通信により、ＨＤＭＩケーブル６２０を介してＨＤＭＩ端子５１５に供給される非圧縮のビデオデータおよびオーディオストリームが受信される。非圧縮のビデオデータは、映像処理回路５１７に供給される。また、オーディオストリームはオーディオデコーダ５２０に供給される。
【０１２３】
映像処理回路５１７では、ビデオデコーダ５１４で得られた、あるいはＨＤＭＩ受信部５１６で得られたビデオデータ、さらには、通信インタフェース５０７でネット上のサーバから受信されたビデオデータなどに対してスケーリング処理、合成処理などが施され、表示用のビデオデータが得られる。
【０１２４】
映像処理回路５１７で得られた表示用のビデオデータはパネル駆動回路５１８に供給される。パネル駆動回路５１８では、表示用のビデオデータに基づいて、表示パネル５１９を駆動することが行われる。これにより、表示パネル５１９には、表示用のビデオデータに対応した画像が表示される。
【０１２５】
オーディオデコーダ５２０では、デマルチプレクサ５１３で得られた、あるいはＨＤＭＩ受信部５１６で得られたオーディオストリームに対してデコード処理が施されて非圧縮のオーディオデータが得られる。オーディオデコーダ５２０で得られるオーディオデータは、音声処理回路５２１に供給される。音声処理回路５２１では、オーディオデータに対してＤ／Ａ変換等の必要な処理が施される。このオーディオデータは、音声増幅回路５２２で増幅された後に、スピーカ５２３に供給される。そのため、スピーカ５２３から、表示パネル５１９の表示画像に対応した音声が出力される。
【０１２６】
また、オーディオデコーダ５２０では、オーディオストリームに挿入されている、ネットワークアクセス情報、コマンド情報、メディアファイルなどの所定の情報（コンテナ対象データ）が抽出される。このようにオーディオデコーダ５２０で抽出される所定の情報は、ＣＰＵ５０１に送られる。そして、ＣＰＵ５０１の制御により、適宜、テレビ受信機５００の各部で所定の情報を利用した情報処理が行われる。
【０１２７】
［ＨＤＭＩ送信部、ＨＤＭＩ受信部の構成例］
図１６は、図１の送受信システム１０における、セットトップボックス２００のＨＤＭＩ送信部２１６（図１３参照）とオーディオアンプ３００のＨＤＭＩ受信部３１２（図１４参照）の構成例を示している。なお、オーディオアンプ３００のＨＤＭＩ送信部３１７とテレビ受信機５００のＨＤＭＩ受信部５１６の構成例に関しては、同様の構成となるので、説明は省略する。
【０１２８】
ＨＤＭＩ送信部２１６は、一の垂直同期信号から次の垂直同期信号までの区間から、水平帰線区間２２および垂直帰線区間２３を除いた区間である有効画像区間２１（以下、適宜、「アクティブビデオ区間」ともいう）（図１７参照）において、非圧縮の１画面分の画像の画素データに対応する差動信号を、複数のチャネルで、ＨＤＭＩ受信部３１２に一方向に送信する。また、ＨＤＭＩ送信部２１６は、水平帰線区間２２または垂直帰線区間２３において、少なくとも画像に付随する音声データや制御データ、その他の補助データ等に対応する差動信号を、複数のチャネルで、ＨＤＭＩ受信部３１２に一方向に送信する。
【０１２９】
すなわち、ＨＤＭＩ送信部２１６は、ＨＤＭＩトランスミッタ３１を有する。トランスミッタ３１は、例えば、非圧縮の画像の画素データを対応する差動信号に変換し、複数のチャネルである３つのＴＭＤＳ（Transition Minimized Differential Signaling）チャネル＃０，＃１，＃２で、ＨＤＭＩ受信部３１２に、一方向にシリアル伝送する。
【０１３０】
また、トランスミッタ３１は、非圧縮の画像に付随する音声データ、さらには、必要な制御データその他の補助データ等を、対応する差動信号に変換し、３つのＴＭＤＳチャネル＃０，＃１，＃２で、ＨＤＭＩ受信部３１２に一方向にシリアル伝送する。
【０１３１】
ＨＤＭＩ受信部３１２は、アクティブビデオ区間２１（図１７参照）において、複数のチャネルで、ＨＤＭＩ送信部２１６から一方向に送信されてくる、画素データに対応する差動信号を受信する。また、ＨＤＭＩ受信部３１２は、水平帰線区間２２（図１７参照）または垂直帰線区間２３（図１７参照）において、複数のチャネルで、ＨＤＭＩ送信部２１６から一方向に送信されてくる、音声データや制御データに対応する差動信号を受信する。
【０１３２】
ＨＤＭＩ送信部２１６とＨＤＭＩ受信部３１２とからなるＨＤＭＩシステムの伝送チャネルには、画素データおよび音声データを伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）３３やＣＥＣ（Consumer Electronics Control）ライン３４と呼ばれる伝送チャネルがある。
【０１３３】
ＤＤＣ３３は、ＨＤＭＩケーブル６１０に含まれる２本の信号線からなり、ＨＤＭＩ送信部２１６が、ＨＤＭＩケーブル６１０を介して接続されたＨＤＭＩ受信部３１２から、ＥＤＩＤ（Extended Display Identification Data）を読み出すために使用される。すなわち、ＨＤＭＩ受信部３１２は、ＨＤＭＩレシーバ３２の他に、自身の性能（Configuration・Capability）に関する性能情報であるＥＤＩＤを記憶している、ＥＤＩＤ ＲＯＭ（Read Only Memory）を有している。ＨＤＭＩ送信部２１６がＥＤＩＤを読み出すことで、受信側の復号化能力情報が送信側に送られることになる。
【０１３４】
ＨＤＭＩ送信部２１６は、ＨＤＭＩケーブル６１０を介して接続されているＨＤＭＩ受信部３１２から、ＥＤＩＤを、ＤＤＣ３３を介して読み出す。そして、セットトップボックス２００のＣＰＵ２０１は、そのＥＤＩＤに基づき、ＨＤＭＩ受信部３１２を有するオーディオアンプ３００の性能を認識する。
【０１３５】
ＣＥＣライン３４は、ＨＤＭＩケーブル６１０に含まれる１本の信号線からなり、ＨＤＭＩ送信部２１６とＨＤＭＩ受信部３１２との間で、制御用のデータの双方向通信を行うために用いられる。また、ＨＤＭＩケーブル６１０には、ＨＰＤ（Hot Plug Detect）と呼ばれるピンに接続されるＨＰＤライン３５が含まれている。
【０１３６】
ソース機器は、このＨＰＤライン３５を利用して、直流バイアス電位により、シンク機器（ディスティネーション機器）の接続を検出することができる。この場合、ＨＰＤライン３５は、ソース機器側から見ると、直流バイアス電位によってシンク機器から接続状態の通知を受ける機能を有するものとなる。一方、このＨＰＤラインは、シンク機器側から見ると、直流バイアス電位によってソース機器に接続状態を通知する機能を有するものとなる。また、ＨＤＭＩケーブル６１０には、ソース機器からシンク機器に電源を供給するために用いられる電源ライン３６が含まれている。
【０１３７】
さらに、ＨＤＭＩケーブル６１０には、リザーブライン３７が含まれている。ＨＰＤライン３５とリザーブライン３７を用いた、イーサネットの信号を伝送するＨＤＭＩイーサネットチャネル（HDMI Ethernet Channel : HEC）が存在する。また、ＨＰＤライン３５とリザーブライン３７の双方またはＨＰＤライン３５のみを用いた、オーディオデータをディスティネーション機器（シンク機器）からソース機器に伝送するオーディオリターンチャネル（Audio Return Channel : ARC）が存在する。なお、「イーサネット」、「Ｅｔｈｅｒｎｅｔ」は、登録商標である。
【０１３８】
図１７は、ＴＭＤＳチャネルにおいて、横×縦が１９２０ピクセル×１０８０ラインの画像データが伝送される場合の、各種の伝送データの区間を示している。ＨＤＭＩの３つのＴＭＤＳチャネルで伝送データが伝送されるビデオフィールド（Video Field）には、伝送データの種類に応じて、ビデオデータ区間２４（Video Data Period）、データアイランド区間２５（Data Island Period）、およびコントロール区間２６（Control Period）の３種類の区間が存在する。
【０１３９】
ここで、ビデオフィールド区間は、ある垂直同期信号の立ち上がりエッジ（Active Edge）から次の垂直同期信号の立ち上がりエッジまでの区間であり、水平帰線期間２２（Horizontal Blanking）、垂直帰線期間２３（Vertical Blanking）、並びに、ビデオフィールド区間から、水平帰線期間および垂直帰線期間を除いた区間である有効画素区間２１（Active Video）に分けられる。
【０１４０】
ビデオデータ区間２４は、有効画素区間２１に割り当てられる。このビデオデータ区間２４では、非圧縮の１画面分の画像データを構成する１９２０ピクセル（画素）×１０８０ライン分の有効画素（Active Pixel）のデータが伝送される。データアイランド区間２５およびコントロール区間２６は、水平帰線期間２２および垂直帰線期間２３に割り当てられる。このデータアイランド区間２５およびコントロール区間２６では、補助データ（Auxiliary Data）が伝送される。
【０１４１】
すなわち、データアイランド区間２５は、水平帰線期間２２と垂直帰線期間２３の一部分に割り当てられている。このデータアイランド区間２５では、補助データのうち、制御に関係しないデータである、例えば、音声データのパケット等が伝送される。コントロール区間２６は、水平帰線期間２２と垂直帰線期間２３の他の部分に割り当てられている。このコントロール区間２６では、補助データのうちの、制御に関係するデータである、例えば、垂直同期信号および水平同期信号、制御パケット等が伝送される。
【０１４２】
上述したように、図１に示す送受信システム１０において、放送送出装置１００は、オーディオストリーム（オーディオ圧縮データストリーム）の所定数のオーディオフレームに所定の情報（コンテナ対象データ）が分割されて得られた各分割情報のそれぞれを挿入することが可能とされる。そのため、所定の情報の全体サイズが大きくても個々のオーディオフレームに挿入される情報サイズを抑えることができ、オーディオ圧縮データの送信に影響を与えることなく所定の情報の送信を良好に行うことができる。
【０１４３】
また、図１に示す送受信システム１０において、放送送出装置１００は、オーディオストリーム（オーディオ圧縮データストリーム）の所定数のオーディオフレームに所定の情報（コンテナ対象データ）を分割して挿入し、最初の分割情報に所定の情報の全体サイズを示す情報を付加する。そのため、受信側では、所定数のオーディオフレームから所定の情報を構成する各分割情報を取得する際に、最初の分割情報が取得される時点で当該所定の情報の全体サイズを示す情報に基づいて記憶媒体に当該所定の情報を蓄積できるだけのスペースを確保でき、所定の情報の取得処理を容易かつ適切に行うことができる。
【０１４４】
また、図１に示す送受信システム１０において、放送送出装置１００は、オーディオストリームの複数のオーディオフレームに、所定の情報（コンテナ対象データ）を分割して挿入し、各分割情報に、最初の分割情報であるか否かを示す情報と、分割位置を示す情報としての降順のカウント数を付加する。そのため、受信側では、最初の分割情報であるか否かを示す情報から最初の分割情報を認識でき、また、この最初の分割情報に対応した降順のカウント数から分割数を認識でき、さらに、降順のカウント数から残りの分割情報の数を認識でき、所定の情報の取得処理を容易かつ適切に行うことができる。
【０１４５】
＜２．変形例＞
なお、上述実施の形態においては、放送送出装置１００でオーディオストリーム（オーディオ圧縮データストリーム）にネットワークアクセス情報、コマンド情報、メディアファイルなどの所定の情報（コンテナ対象データ）を挿入する例を示した。しかし、オーディオストリームへの所定の情報の挿入をセットトップボックス２００で行う構成も考えられる。
【０１４６】
この場合、所定の情報は、セットトップボックス２００において、発生されるか、あるいは外部から入力されてもよいが、放送送出装置１００からコンテナとしてのトランスポートストリームＴＳのレイヤに挿入されて送られてくることも考えられる。なお、コンテナで送られるアクセス情報は他にも、トリガ（trigger）情報あるいはイベント情報（ＤＳＭ−ＣＣで伝達される）として送られるものに含まれることもある。
【０１４７】
図１８は、その場合における、放送送出装置１００が備えるストリーム生成部１１０Ａの構成例を示している。この図１８において、図３と対応する部分には、同一符号を付し、適宜、その詳細説明を省略する。このストリーム生成部１１０Ａは、制御部１１１と、ビデオエンコーダ１１２と、オーディオエンコーダ１１３Ａと、マルチプレクサ１１４Ａを有している。
【０１４８】
オーディオエンコーダ１１３Ａでは、オーディオデータＳＡに対して、ＭＰＥＧ−Ｈ  ３Ｄ  Ａｕｄｉｏの圧縮フォーマットによる符号化が施され、オーディオストリーム（オーディオ圧縮データストリーム）が生成される。このオーディオエンコーダ１１３Ａでは、図３のストリーム生成部１１０におけるオーディオエンコーダ１１３とは異なり、オーディオストリームに所定の情報を挿入することは行われない。
【０１４９】
ビデオエンコーダ１１２で生成されたビデオストリームは、マルチプレクサ１１４Ａに供給される。また、オーディオエンコーダ１１３Ａで生成されたオーディオストリームは、マルチプレクサ１１４Ａに供給される。そして、このマルチプレクサ１１４Ａでは、各エンコーダから供給されるストリームがパケット化されて多重され、伝送データとしてトランスポートストリームＴＳが得られる。
【０１５０】
この際、制御部１１１からマルチプレクサ１１４Ａに、ネットワークアクセス情報、コマンド情報、メディアファイルなどの所定の情報（コンテナ対象データ）が供給される、デマルチプレクサ１１４Ａでは、コンテナとしてのトランスポートストリームＴＳのレイヤに、この所定の情報が挿入される。
【０１５１】
例えば、マルチプレクサ１１４Ａでは、アプリケーション・インフォメーション・テーブル（ＡＩＴ：Application Information Table）の配下に、所定の情報を持つ、新規定義するアプリケーション・デスクリプタ（Application_descriptor）が挿入される。
【０１５２】
図１９は、アプリケーション・デスクリプタの構造例（Syntax）を示している。「descriptor_tag」の８ビットフィールドは、デスクリプタタイプを示す。ここでは、アプリケーション・デスクリプタであることを示す。「descriptor_length」の８ビットフィールドは、デスクリプタの長さ（サイズ）を示し、デスクリプタの長さとして、以降のバイト数を示す。「descriptor_length」のフィールドに続いて、所定の情報を持つ、アクセス・インフォメーション（Access_information()）（図７参照）のフィールドが存在する。
【０１５３】
図２０は、ＡＩＴの配下にアプリケーション・デスクリプタ（Application_descriptor）が挿入される場合におけるトランスポートストリームＴＳの構造例を示している。この構造例では、オーディオストリームのＰＥＳパケットのＰＥＳペイロードにはオーディオストリーム（Audio coded stream）が挿入される。しかし、このオーディオストリームには、所定の情報（コンテナ対象データ）を含むアクセス・インフォメーション（Access_information()）は挿入されない。
【０１５４】
また、トランスポートストリームＴＳには、ＰＭＴ（Program Map Table）の他に、ＡＩＴ（Application Information Table）が含まれている。このＡＩＴの配下に、アプリケーション識別子（Application_id）と共に、アプリケーション・デスクリプタ（図１９参照）が配置されている。
【０１５５】
図２１は、オーディオストリームに所定の情報を挿入するセットトップボックス２００Ａの構成例を示している。この図２１において、図１３と対応する部分には同一符号を付し、適宜、その詳細説明は省略する。このセットトップボックス２００Ａは、ＣＰＵ２０１と、フラッシュＲＯＭ２０２と、ＤＲＡＭ２０３と、内部バス２０４と、リモコン受信部２０５と、リモコン送信機２０６を有している。また、このセットトップボックス２００Ａは、アンテナ端子２１１と、デジタルチューナ２１２と、デマルチプレクサ２１３Ａと、ビデオデコーダ２１４と、データ挿入部２１８と、オーディオフレーミング部２１５と、ＨＤＭＩ送信部２１６と、ＨＤＭＩ端子２１７を有している。
【０１５６】
デマルチプレクサ２１３では、トランスポートストリームＴＳからオーディオストリームのパケットが抽出され、オーディオストリーム（オーディオ圧縮データストリーム）が再構成される。また、デマルチプレクサ２１３Ａでは、トランスポートストリームＴＳから各種デスクリプタなどが抽出され、ＣＰＵ２０１に送られる。このデスクリプタには、所定の情報を持つアプリケーション・デスクリプタ（図１９参照）も含まれる。
【０１５７】
デマルチプレクサ２１３Ａで抽出されたオーディオストリームはデータ挿入部２１８に供給される。このデータ挿入部２１８には、ＣＰＵ２０１から所定の情報が供給される。データ挿入部２１８では、ＣＰＵ２０１の制御のもと、オーディオストリームに、所定の情報が挿入される。
【０１５８】
この場合、図３のストリーム生成部１１０のオーディオエンコーダ１１３と同様に、オーディオストリームの所定数（１を含む）のオーディオフレームに所定の情報が分割されて挿入される（図９−１１参照）。このとき、最初の分割情報に、所定の情報の全体サイズを示す情報が付加される。また、各分割情報に、最初の分割情報であるか否かを示す情報および分割位置を示す情報としての降順のカウント数が付加される。
【０１５９】
なお、この場合、所定の情報が挿入されたオーディオストリームのビットレートがＨＤＭＩの伝送帯域容量範囲に収まるように分割数が決定される。これにより、所定の情報の全体サイズによっては、分割されずに、１つのオーディオフレームに所定の情報の全体が挿入される場合もある。
【０１６０】
データ挿入部２１８からの所定の情報が挿入されたオーディオストリームは、オーディオフレーミング部２１５でフレーミングされた後に、ＨＤＭＩ送信部２１６に供給される。この図２１に示すセットトップボックス２００Ａにおいて、その他は、図１３に示すセットトップボックス２００と同様に構成される。
【０１６１】
また、上述実施の形態においては、オーディオ圧縮フォーマットがＭＰＥＧ−Ｈ  ３Ｄ  Ａｕｄｉｏである例を示した。しかし、本技術は、オーディオ圧縮フォーマットが、ＡＡＣ、ＡＣ３、ＡＣ４などのその他のオーディオ圧縮フォーマットである場合にも、同様に適用できる。
【０１６２】
また、上述実施の形態において、セットトップボックス２００は、放送送出装置１００からの放送信号からビデオストリームおよびオーディオストリームを受信する構成となっている。しかし、セットトップボックス２００は、配信サーバ（ストリーミングサーバ）からネットワークを介してビデオストリームおよびオーディオストリームを受信する構成も考えられる。
【０１６３】
また、上述実施の形態においては、コンテナがトランスポートストリーム（ＭＰＥＧ−２  ＴＳ）である例を示した。しかし、本技術は、ＭＰ４やそれ以外のフォーマットのコンテナで配信されるシステムにも同様に適用できる。例えば、ＭＰＥＧ−ＤＡＳＨベースのストリーム配信システム、あるいは、ＭＭＴ（MPEG Media Transport）構造伝送ストリームを扱う送受信システムなどである。
【０１６４】
図２２は、所定の情報（コンテナ対象データ）をオーディオストリームに挿入して送る場合におけるＭＭＴストリームの構造例を示している。ＭＭＴストリームには、ビデオ、オーディオ等の各アセットのＭＭＴパケットが存在する。この構造例では、ＩＤ１で識別されるビデオのアセットのＭＭＴパケットと共に、ＩＤ２で識別されるオーディオのアセットのＭＭＴパケットが存在する。
【０１６５】
オーディオのアセット（オーディオストリーム）の所定数（１を含む）のオーディオフレーム内のユニバーサル・メタデータ・フレーム（universal_metadata_frame()）に、所定の情報（コンテナ対象データ）を含むアクセス・インフォメーション（Access_information()）が挿入されている。
【０１６６】
また、ＭＭＴストリームには、ＰＡ（Packet Access）メッセージパケットなどのメッセージパケットが存在する。ＰＡメッセージパケットには、ＭＭＴ・パケット・テーブル（MMT Package Table）などのテーブルが含まれている。ＭＰテーブルには、アセット毎の情報が含まれている。
【０１６７】
図２３は、所定の情報（コンテナ対象データ）をコンテナに挿入して送る場合におけるＭＭＴストリームの構造例を示している。ＭＭＴストリームには、ビデオ、オーディオ等の各アセットのＭＭＴパケットが存在する。この構造例では、ＩＤ１で識別されるビデオのアセットのＭＭＴパケットと共に、ＩＤ２で識別されるオーディオのアセットのＭＭＴパケットが存在する。この構造例では、図２２の構造例とは異なり、オーディオのアセット（オーディオストリーム）に所定の情報（コンテナ対象データ）は含まれない。
【０１６８】
また、ＭＭＴストリームには、ＰＡ（Packet Access）メッセージパケットなどのメッセージパケットが存在する。ＰＡメッセージパケットには、ＭＭＴ・パケット・テーブル（ＭＰＴ：MMT Package Table）などが含まれている。ＭＰＴには、アセット毎の情報が含まれている。また、ＰＡメッセージパケットには、アプリケーション・インフォメーション・テーブル（ＡＩＴ）含まれている。このＡＩＴの配下に、アクセス・インフォメーション（Access_information()）を持つアプリケーション・デスクリプタ（Application_descriptor）が挿入されている。
【０１６９】
また、上述実施の形態においては、セットトップボックス２００とテレビ受信機５００との間にオーディオアンプ３００が介在される例を示した。しかし、セットトップボックス２００がテレビ受信機５００に直接接続される、図２４に示すような、送受信システム１０Ａも考えられる。
【０１７０】
この送受信システム１０Ａにおいては、セットトップボックス２００とテレビ受信機５００はＨＤＭＩケーブル６１０を介して接続されている。この場合、セットトップボックス２００がソースで、テレビ受信機５００はディスティネーションである。オーディオアンプ３００とテレビ受信機５００は、ＨＤＭＩケーブル６２０を介して接続されている。この場合、オーディオアンプ３００がソースで、テレビ受信機５００はディスティネーションである。
【０１７１】
この場合、セットトップボックス２００からテレビ受信機５００に、ＨＤＭＩのデジタルインタフェースで、非圧縮のビデオデータと、ネットワークアクセス情報、メディアファイルなどの所定の情報（コンテナ対象データ）が挿入されたオーディオストリームが、送信される。また、テレビ受信機５００からオーディオアンプ３００にＨＤＭＩのオーディオリターンチャネルを利用して、オーディオストリームそのもの、あるいはデコード後のオーディオデータが送信される。
【０１７２】
また、上述実施の形態においては、セットトップボックス２００およびテレビ受信機５００を有する送受信システム１０を示した。しかし、テレビ受信機５００の代わりに、モニタ装置、あるいはプロジェクタ等が配置される構成も考えられる。また、セットトップボックス２００の代わりに、受信機能付きのレコーダ、パーソナルコンピュータ等が配置される構成も考えられる。
【０１７３】
また、上述実施の形態においては、受信側の各機器がＨＤＭＩのデジタルインタフェースにより有線で接続されている。しかし、各機器が、ＨＤＭＩと同様のデジタルインタフェースで有線接続される場合、さらには、無線によって接続される場合にも、この発明を同様に適用できることは勿論である。
【０１７４】
なお、本技術は、以下のような構成もとることができる。
（１）オーディオ圧縮データストリームに所定の情報を挿入する情報挿入部と、
上記所定の情報が挿入されたオーディオ圧縮データストリームを送信するストリーム送信部を備え、
上記情報挿入部は、
上記オーディオ圧縮データストリームの所定数のオーディオフレームに上記所定の情報が分割されて得られた各分割情報のそれぞれを挿入することが可能とされ、
最初の分割情報に上記所定の情報の全体サイズを示す情報を付加する
送信装置。
（２）上記情報挿入部は、
上記オーディオフレームのユーザデータ領域に上記分割情報を挿入する
請求項１に記載の送信装置。
（３）上記情報挿入部は、
各分割情報に、最初の分割情報であるか否かを示す情報および分割位置を示す情報をさらに付加する
前記（１）または（２）に記載の送信装置。
（４）上記所定の情報は、ネットワークアクセス情報、コマンド情報またはメディアファイルである
前記（１）から（３）のいずれかに記載の送信装置。
（５）上記ストリーム送信部は、
上記所定の情報が挿入されたオーディオ圧縮データストリームを含む所定フォーマットのコンテナを送信する
前記（１）から（４）のいずれかに記載の送信装置。
（６）上記ストリーム送信部は、
上記所定の情報が挿入されたオーディオ圧縮データストリームを、デジタルインタフェースを介して外部機器に送信する
前記（１）から（４）のいずれかに記載の送信装置。
（７）オーディオ圧縮データストリーム含む所定フォーマットのコンテナを受信する受信部をさらに備え、
上記コンテナのレイヤに所定の情報が挿入されており、
上記情報挿入部は、
上記コンテナに含まれているオーディオ圧縮データストリームに上記コンテナのレイヤに挿入されている所定の情報を挿入する
前記（６）に記載の送信装置。
（８）オーディオ圧縮データストリームに所定の情報を挿入する情報挿入ステップと、
ストリーム送信部により、上記所定の情報が挿入されたオーディオ圧縮データストリームを送信するストリーム送信ステップを備え、
上記情報挿入ステップでは、
上記オーディオ圧縮データストリームの所定数のオーディオフレームに上記所定の情報が分割されて得られた各分割情報のそれぞれを挿入することが可能とされ、
最初の分割情報に上記所定の情報の全体サイズを示す情報を付加する
送信方法。
（９）所定の情報が挿入されたオーディオ圧縮データストリームを外部機器からデジタルインタフェースを介して受信するストリーム受信部を備え、
上記オーディオ圧縮データストリームの所定数のオーディオフレームに、上記所定の情報が分割されて得られた分割情報のそれぞれが挿入されており、
最初の分割情報に上記所定の情報の全体サイズを示す情報が付加されており、
上記オーディオ圧縮データストリームにデコード処理を施してオーディオデータを得ると共に、上記所定の情報の全体サイズを示す情報に基づいて上記所定数のオーディオフレームから上記所定の情報を構成する各分割情報を得るデコード処理部と、
上記デコード処理部で得られた上記所定の情報を利用した情報処理を行う情報処理部をさらに備える
受信装置。
（１０）上記所定の情報は、ネットワークアクセス情報、コマンド情報またはメディアファイルである
前記（９）に記載の受信装置。
（１１）ストリーム受信部により、所定の情報が挿入されたオーディオ圧縮データストリームを外部機器からデジタルインタフェースを介して受信するストリーム受信ステップを有し、
上記オーディオ圧縮データストリームの所定数のオーディオフレームに、上記所定の情報が分割されて得られた分割情報のそれぞれが挿入されており、
最初の分割情報に上記所定の情報の全体サイズを示す情報が付加されており、
上記オーディオ圧縮データストリームにデコード処理を施してオーディオデータを得ると共に、上記所定の情報の全体サイズを示す情報に基づいて上記所定数のオーディオフレームから上記所定の情報を構成する各分割情報を得るデコード処理ステップと、
上記デコード処理ステップで得られた上記所定の情報を利用した情報処理を行う情報処理ステップをさらに有する
受信方法。
（１２）オーディオ圧縮データストリームを含む所定フォーマットのコンテナを受信する受信部と、
上記オーディオ圧縮データストリームに所定の情報を挿入する情報挿入部と、
上記所定の情報が挿入されたオーディオ圧縮データストリームを、デジタルインタフェースを介して外部機器に送信するストリーム送信部を備える
受信装置。
（１３）上記情報挿入部は、
上記オーディオ圧縮データストリームの所定数のオーディオフレームに上記所定の情報が分割されて得られた各分割情報のそれぞれを挿入することが可能とされる
前記（１２）に記載の受信装置。
（１４）上記情報挿入部は、
上記オーディオフレームのユーザデータ領域に上記分割情報を挿入する
前記（１３）に記載の受信装置。
（１５）上記情報挿入部は、
最初の分割情報に上記所定の情報の全体サイズを示す情報を付加する
前記（１３）または（１４）に記載の受信装置。
（１６）上記情報挿入部は、
各分割情報に、最初の分割情報であるか否かを示す情報および分割位置を示す情報をさらに付加する
前記（１５）に記載の受信装置。
（１７）上記所定の情報は、ネットワークアクセス情報、コマンド情報またはメディアファイルである
前記（１２）から（１６）のいずれかに記載の受信装置。
（１８）上記受信されたコンテナのレイヤに上記所定の情報が挿入されており、
上記情報挿入部は、
上記コンテナのレイヤに挿入されている上記所定の情報を抽出して上記オーディオ圧縮データストリームに挿入する
前記（１２）から（１７）のいずれかに記載の受信装置。
（１９）受信部により、オーディオ圧縮データストリームを含む所定フォーマットのコンテナを受信する受信ステップと、
上記オーディオ圧縮データストリームに所定の情報を挿入する情報挿入ステップと、
上記所定の情報が挿入されたオーディオ圧縮データストリームを、デジタルインタフェースを介して外部機器に送信するストリーム送信ステップを有する
受信方法。
【０１７５】
本技術の主な特徴は、オーディオストリームの複数のオーディオフレームに、所定の情報（コンテナ対象データ）を分割挿入するとき、最初の分割情報に所定の情報の全体サイズを示す情報を付加することで、受信側において最初の分割情報が取得される時点で当該所定の情報の全体サイズを示す情報に基づいて記憶媒体に当該所定の情報を蓄積できるだけのスペースを確保可能として、所定の情報の取得処理を容易かつ適切に行い得るようにしたことである(図６、図９参照)。
【符号の説明】
【０１７６】
１０，１０Ａ・・・送受信システム
２１・・・有効画素区間
２２・・・水平帰線期間
２３・・・垂直帰線期間
２４・・・ビデオデータ区間
２５・・・データアイランド区間
２６・・・コントロール区間
３１・・・ＨＤＭＩトランスミッタ
３２・・・ＨＤＭＩレシーバ
３３・・・ＤＤＣ
３４・・・ＣＥＣライン
３５・・・ＨＰＤライン
３６・・・電源ライン
３７・・・リザーブライン
１００・・・放送送出装置
１１０，１１０Ａ・・・ストリーム生成部
１１１・・・制御部
１１１ａ・・・ＣＰＵ
１１２・・・ビデオエンコーダ
１１３，１１３Ａ・・・オーディオエンコーダ
１１３ａ・・・オーディオ符号化ブロック部
１１３ｂ・・・オーディオフレーミング部
１１４，１１４Ａ・・・マルチプレクサ
２００，２００Ａ・・・セットトップボックス（ＳＴＢ）
２０１・・・ＣＰＵ
２０２・・・フラッシュＲＯＭ
２０３・・・ＤＲＡＭ
２０４・・・内部バス
２０５・・・リモコン受信部
２０６・・・リモコン送信機
２１１・・・アンテナ端子
２１２・・・デジタルチューナ
２１３，２１３Ａ・・・デマルチプレクサ
２１４・・・ビデオデコーダ
２１５・・・オーディオフレーミング部
２１６・・・ＨＤＭＩ送信部
２１７・・・ＨＤＭＩ端子
２１８・・・データ挿入部
３００・・・オーディオアンプ（ＡＭＰ）
３０１・・・ＣＰＵ
３０２・・・フラッシュＲＯＭ
３０３・・・ＤＲＡＭ
３０４・・・内部バス
３０５・・・リモコン受信部
３０６・・・リモコン送信機
３１１・・・ＨＤＭＩ端子
３１２・・・ＨＤＭＩ受信部
３１３・・・オーディオデコーダ
３１４・・・音声処理回路
３１５・・・音声増幅回路
３１６・・・音声出力端子
３１７・・・ＨＤＭＩ送信部
３１８・・・ＨＤＭＩ端子
４００・・・スピーカシステム（ＳＰ）
５００・・・テレビ受信機（ＴＶ）
５０１・・・ＣＰＵ
５０２・・・フラッシュＲＯＭ
５０３・・・ＤＲＡＭ
５０４・・・内部バス
５０５・・・リモコン受信部
５０６・・・リモコン送信機
５０７・・・通信インタフェース
５１１・・・アンテナ端子
５１２・・・デジタルチューナ
５１３・・・デマルチプレクサ
５１４・・・ビデオデコーダ
５１５・・・ＨＤＭＩ端子
５１６・・・ＨＤＭＩ受信部
５１７・・・映像処理回路
５１８・・・パネル駆動回路
５１９・・・表示パネル
５２０・・・オーディオデコーダ
５２１・・・音声処理回路
５２２・・・音声増幅回路
５２３・・・スピーカ
６１０，６２０・・・ＨＤＭＩケーブル
【図１】
2016190091.tif 000003
【図２】
2016190091.tif 000004
【図３】
2016190091.tif 000005
【図４】
2016190091.tif 000006
【図５】
2016190091.tif 000007
【図６】
2016190091.tif 000008
【図７】
2016190091.tif 000009
【図８】
2016190091.tif 000010
【図９】
2016190091.tif 000011
【図１０】
2016190091.tif 000012
【図１１】
2016190091.tif 000013
【図１２】
2016190091.tif 000014
【図１３】
2016190091.tif 000015
【図１４】
2016190091.tif 000016
【図１５】
2016190091.tif 000017
【図１６】
2016190091.tif 000018
【図１７】
2016190091.tif 000019
【図１８】
2016190091.tif 000020
【図１９】
2016190091.tif 000021
【図２０】
2016190091.tif 000022
【図２１】
2016190091.tif 000023
【図２２】
2016190091.tif 000024
【図２３】
2016190091.tif 000025
【図２４】
2016190091.tif 000026
【国際調査報告】
2016190091.tif 000027
2016190091.tif 000028